(57)【要約】【課題】水中であっても電子ファインダを介してユーザにリアルな被写体の映像を確認させ得る撮影装置およびライブビュー表示方法を提供する。【解決手段】撮像範囲中の被写体の光学像から画像データを生成する撮像部（１０２、１０５、１１０および１３１等）と、撮像部で生成された被写体の画像データを再生する電子ファインダ（１１０、１３２、１３３、１４１、１４３および１４４等）と、水中であるか否かを検出するセンサ（１８１および１１０等）と、センサによって水中であることが検出された場合、撮像部によって生成された画像データの色情報を補正することで色情報が補正された画像データを生成する色情報補正部（１２８または１２７等）と、を備え、電子ファインダは、色情報が補正された画像データを再生する。【選択図】        図１
2010226497.tif 000002
【特許請求の範囲】
【請求項１】
撮像範囲中の被写体の光学像から画像データを生成する撮像部と、
前記撮像部で生成された前記被写体の画像データを再生する電子ファインダと、
水中であるか否かを検出するセンサと、
前記センサによって水中であることが検出された場合、前記撮像部によって生成された画像データの色情報を補正することで色情報が補正された画像データを生成する色情報補正部と、
を備え、
前記電子ファインダは、前記色情報が補正された画像データを再生することを特徴とする撮影装置。
【請求項２】
前記センサは、水深を検出し、
前記色情報補正部は、水中での波長ごとの光減衰率と前記センサによって検出された水深とに基づいて前記画像データの色情報を補正することを特徴とする請求項１記載の撮影装置。
【請求項３】
前記色情報補正部は、色情報補正後の画像データに含まれる波長λ成分ごとの色情報をｚλ、色情報補正前の画像データに含まれる波長λ成分ごとの色情報をＹλ、単位長さあたりの波長λごとの光減衰率をＤλ、水深をαとした式
ｚλ＝Ｙλ×（１／Ｄλ）α
に基づいて前記画像データの色情報を補正することを特徴とする請求項２記載の撮影装置。
【請求項４】
前記撮像部は、第１撮像時間で撮像された第１画像データと前記第１撮像時間よりも長い第２撮像時間で撮像された第２画像データとを生成し、
前記色情報補正部は、前記第１画像データから第１色成分の画像データを抽出し、前記第２画像データから前記第１色成分よりも波長が長い第２色成分の画像データを抽出し、前記第１色成分の画像データと前記第２色成分の画像データとを合成することで前記色情報が補正された画像データを生成することを特徴とする請求項１記載の撮影装置。
【請求項５】
前記撮像範囲中の被写体を照明する照明部と、
前記照明部によって照明された前記被写体の光学像から前記撮像部が生成した第１画像データに含まれる第１色情報を解析する色情報解析部と、
を備え、
前記色情報補正部は、前記照明部が駆動されていない際に前記撮像部が前記被写体の光学像から生成した第２画像データの第２色情報を前記第１色情報で補正することを特徴とする請求項１記載の撮影装置。
【請求項６】
前記第１画像データおよび前記第２画像データに含まれる被写体を識別する被写体識別部を備え、
前記色情報解析部は、前記被写体識別部によって識別された前記第１画像データ中の前記被写体ごとに前記第１色情報を解析し、
前記色情報補正部は、前記被写体識別部によって識別された前記第２画像データ中の前記被写体ごとに前記第２色情報を前記第１色情報で補正することを特徴とする請求項５記載の撮影装置。
【請求項７】
撮像部と電子ファインダとを備えた撮影装置の前記電子ファインダに前記撮像部の撮像範囲に含まれる被写体の映像を表示するライブビュー表示方法であって、
前記撮像部が撮像範囲中の被写体の光学像から画像データを生成する撮像ステップと、
水中であるか否かを検出する検出ステップと、
前記検出ステップにおいて水中であることが検出された場合、前記撮像ステップで生成された画像データの色情報を補正することで色情報が補正された画像データを生成する色情報補正ステップと、
前記色情報補正ステップで生成された前記色情報が補正された画像データを前記電子ファインダに再生する再生ステップと、
を含むことを特徴とするライブビュー表示方法。
【請求項８】
前記検出ステップは、水深を検出し、
前記色情報補正ステップは、水中での波長ごとの光減衰率と前記検出ステップで検出された水深とに基づいて前記画像データの色情報を補正することを特徴とする請求項７記載のライブビュー表示方法。
【請求項９】
前記色情報補正ステップは、色情報補正後の画像データに含まれる波長λ成分ごとの色情報をｚλ、色情報補正前の画像データに含まれる波長λ成分ごとの色情報をＹλ、単位長さあたりの波長λごとの光減衰率をＤλ、水深をαとした式
ｚλ＝Ｙλ×（１／Ｄλ）α
に基づいて前記画像データの色情報を補正することを特徴とする請求項８記載のライブビュー表示方法。
【請求項１０】
前記撮像ステップは、第１撮像時間で撮像された第１画像データと前記第１撮像時間よりも長い第２撮像時間で撮像された第２画像データとを生成し、
前記色情報補正ステップは、前記第１画像データから第１色成分の画像データを抽出し、前記第２画像データから前記第１色成分よりも波長が長い第２色成分の画像データを抽出し、前記第１色成分の画像データと前記第２色成分の画像データとを合成することで前記色情報が補正された画像データを生成することを特徴とする請求項７記載のライブビュー表示方法。
【請求項１１】
前記撮像範囲中の被写体を照明する照明ステップと、
前記照明ステップによって照明された前記被写体の光学像から前記撮像部が生成した第１画像データに含まれる第１色情報を解析する色情報解析ステップと、
を含み、
前記色情報補正ステップは、前記照明ステップによって前記被写体が照明されていない際に前記撮像ステップにおいて前記被写体の光学像から生成された第２画像データの第２色情報を前記第１色情報で補正することを特徴とする請求項７記載のライブビュー表示方法。
【請求項１２】
前記第１画像データおよび前記第２画像データに含まれる被写体を識別する被写体識別ステップを含み、
前記色情報抽出ステップは、前記被写体識別ステップによって識別された前記第１画像データ中の前記被写体ごとに前記第１色情報を解析し、
前記色情報補正ステップは、前記被写体識別部によって識別された前記第２画像データ中の前記被写体ごとに前記第２色情報を前記第１色情報で補正することを特徴とする請求項１１記載のライブビュー表示方法。
【発明の詳細な説明】
【技術分野】
【０００１】
本発明は、撮影装置およびライブビュー表示方法に関し、特に水中での撮影により得られた画像を略リアルタイムに再生する電子ファインダを備えた撮影装置およびライブビュー表示方法に関する。
【背景技術】
【０００２】
近年のデジタルスチルカメラやデジタルビデオカメラ（以下、両者を合わせて単にデジタルカメラという）では、撮影範囲をレンズを介して覗き見る一般的なファインダの代わりに、ＣＣＤ（Ｃｈａｒｇｅ  Ｃｏｕｐｌｅｄ  Ｄｅｖｉｃｅ）アレイなどの撮像素子で取得した電子画像を略リアルタイムに液晶画面等に表示する、いわゆる電子ファインダが採用されている。また、近年では、水中での撮影を可能にしたデジタルカメラが開発されている。
【０００３】
ただし、水中では、光路長に応じた光の減衰率が波長成分ごとに異なる。例えば赤色系の光の距離に対する減衰率は、青色系の光の距離に対する減衰率に対して大きい。このため、水中での撮影では、撮影した画像の色彩が実際の色彩と異なり、青色系が強い画像になってしまう。
【０００４】
そこで従来では、水中での撮影により被写体が転写されたフィルムに印画紙への焼き付け時の色調制御用の情報を付加し、焼き付け時にこの色調制御情報を用いて露光の光源を調整する技術が提案されている（例えば以下に示す特許文献１参照）。また、例えば以下に示す特許文献２および３には、水中での撮影時に水深に応じてホワイトバランスを調整する技術が開示されている。
【０００５】
【特許文献１】特開平８−７６２８７号公報
【特許文献２】特開２００４−２８２４６０号公報
【特許文献３】特開２００７−１４２９７８号公報
【発明の開示】
【発明が解決しようとする課題】
【０００６】
また、水中では、光路長に応じた光の減衰率が波長成分ごとに異なることに起因して、水深ごとに光の波長成分ごとの存在量に差が生じる。すなわち、水深が深くなるにつれて波長の長い赤色成分の光の存在量が大きく減少しているのに対し、波長の短い青色成分の光の存在量はそれほど変化していない。このため、フラッシュを焚かない状態での撮像により得られた画像とフラッシュを焚いた状態での撮影により得られた画像とでは、その色彩に差が生じる。
【０００７】
このような理由から、水中での撮影では、電子ファインダに表示されるライブビュー映像と実際の被写体との色彩が大きく異なってしまい、ユーザにリアルな被写体の映像を電子ファインダにて確認させることが困難であるという問題が存在する。
【０００８】
そこで本発明は、上記の問題に鑑みてなされたものであり、水中であっても電子ファインダを介してユーザにリアルな被写体の映像を確認させ得る撮影装置およびライブビュー表示方法を提供することを目的とする。
【課題を解決するための手段】
【０００９】
かかる目的を達成するために、本発明による撮影装置は、撮像範囲中の被写体の光学像から画像データを生成する撮像部と、前記撮像部で生成された前記被写体の画像データを再生する電子ファインダと、水中であるか否かを検出するセンサと、前記センサによって水中であることが検出された場合、前記撮像部によって生成された画像データの色情報を補正することで色情報が補正された画像データを生成する色情報補正部と、を備え、前記電子ファインダが、前記色情報が補正された画像データを再生することを特徴としている。
【００１０】
上記した本発明による撮影装置は、前記センサが、水深を検出し、前記色情報補正部が、水中での波長ごとの光減衰率と前記センサによって検出された水深とに基づいて前記画像データの色情報を補正することを特徴としている。
【００１１】
上記した本発明による撮影装置は、前記色情報補正部が、色情報補正後の画像データに含まれる波長λ成分ごとの色情報をｚλ、色情報補正前の画像データに含まれる波長λ成分ごとの色情報をＹλ、単位長さあたりの波長λごとの光減衰率をＤλ、水深をαとした式ｚλ＝Ｙλ×（１／Ｄλ）αに基づいて前記画像データの色情報を補正することを特徴としている。
【００１２】
上記した本発明による撮影装置は、前記撮像部が、第１撮像時間で撮像された第１画像データと前記第１撮像時間よりも長い第２撮像時間で撮像された第２画像データとを生成し、前記色情報補正部が、前記第１画像データから第１色成分の画像データを抽出し、前記第２画像データから前記第１色成分よりも波長が長い第２色成分の画像データを抽出し、前記第１色成分の画像データと前記第２色成分の画像データとを合成することで前記色情報が補正された画像データを生成することを特徴としている。
【００１３】
上記した本発明による撮影装置は、前記撮像範囲中の被写体を照明する照明部と、前記照明部によって照明された前記被写体の光学像から前記撮像部が生成した第１画像データに含まれる第１色情報を解析する色情報解析部と、を備え、前記色情報補正部が、前記照明部が駆動されていない際に前記撮像部が前記被写体の光学像から生成した第２画像データの第２色情報を前記第１色情報で補正することを特徴としている。
【００１４】
上記した本発明による撮影装置は、前記第１画像データおよび前記第２画像データに含まれる被写体を識別する被写体識別部を備え、前記色情報解析部が、前記被写体識別部によって識別された前記第１画像データ中の前記被写体ごとに前記第１色情報を解析し、前記色情報補正部が、前記被写体識別部によって識別された前記第２画像データ中の前記被写体ごとに前記第２色情報を前記第１色情報で補正することを特徴としている。
【００１５】
また、本発明によるライブビュー表示方法は、撮像部と電子ファインダとを備えた撮影装置の前記電子ファインダに前記撮像部の撮像範囲に含まれる被写体の映像を表示するライブビュー表示方法であって、前記撮像部が撮像範囲中の被写体の光学像から画像データを生成する撮像ステップと、水中であるか否かを検出する検出ステップと、前記検出ステップにおいて水中であることが検出された場合、前記撮像ステップで生成された画像データの色情報を補正することで色情報が補正された画像データを生成する色情報補正ステップと、前記色情報補正ステップで生成された前記色情報が補正された画像データを前記電子ファインダに再生する再生ステップと、を含むことを特徴としている。
【００１６】
上記した本発明によるライブビュー表示方法は、前記検出ステップが、水深を検出し、前記色情報補正ステップが、水中での波長ごとの光減衰率と前記検出ステップで検出された水深とに基づいて前記画像データの色情報を補正することを特徴としている。
【００１７】
上記した本発明によるライブビュー表示方法は、前記色情報補正ステップが、色情報補正後の画像データに含まれる波長λ成分ごとの色情報をｚλ、色情報補正前の画像データに含まれる波長λ成分ごとの色情報をＹλ、単位長さあたりの波長λごとの光減衰率をＤλ、水深をαとした式ｚλ＝Ｙλ×（１／Ｄλ）αに基づいて前記画像データの色情報を補正することを特徴としている。
【００１８】
上記した本発明によるライブビュー表示方法は、前記撮像ステップが、第１撮像時間で撮像された第１画像データと前記第１撮像時間よりも長い第２撮像時間で撮像された第２画像データとを生成し、前記色情報補正ステップが、前記第１画像データから第１色成分の画像データを抽出し、前記第２画像データから前記第１色成分よりも波長が長い第２色成分の画像データを抽出し、前記第１色成分の画像データと前記第２色成分の画像データとを合成することで前記色情報が補正された画像データを生成することを特徴としている。
【００１９】
上記した本発明によるライブビュー表示方法は、前記撮像範囲中の被写体を照明する照明ステップと、前記照明ステップによって照明された前記被写体の光学像から前記撮像部が生成した第１画像データに含まれる第１色情報を解析する色情報解析ステップと、を含み、前記色情報補正ステップが、前記照明ステップによって前記被写体が照明されていない際に前記撮像ステップにおいて前記被写体の光学像から生成された第２画像データの第２色情報を前記第１色情報で補正することを特徴としている。
【００２０】
上記した本発明によるライブビュー表示方法は、前記第１画像データおよび前記第２画像データに含まれる被写体を識別する被写体識別ステップを含み、前記色情報抽出ステップが、前記被写体識別ステップによって識別された前記第１画像データ中の前記被写体ごとに前記第１色情報を解析し、前記色情報補正ステップが、前記被写体識別部によって識別された前記第２画像データ中の前記被写体ごとに前記第２色情報を前記第１色情報で補正することを特徴としている。
【発明の効果】
【００２１】
本発明によれば、水中であることが検出された場合、電子ファインダに表示する画像の色情報を補正するため、水中であっても電子ファインダを介してユーザにリアルな被写体の映像を確認させ得る撮影装置およびライブビュー表示方法を実現することが可能となる。
【発明を実施するための最良の形態】
【００２２】
以下、本発明を実施するための最良の形態を図面と共に詳細に説明する。なお、以下の説明において、各図は本発明の内容を理解でき得る程度に形状、大きさ、および位置関係を概略的に示してあるに過ぎず、従って、本発明は各図で例示された形状、大きさ、および位置関係のみに限定されるものではない。
【００２３】
＜実施の形態１＞
以下、本発明の実施の形態１による撮影装置について、図面を用いて詳細に説明する。本実施の形態では、その撮影装置として、いわゆるデジタルスチルカメラやデジタルビデオカメラを例に挙げるが、本発明はこの例に限定されるものではなく、例えばカメラ付き携帯電話機やカメラ付きモバイルＰＣ（パーソナルコンピュータ）など、電子ファインダまたはそれと同等の機能を備えた各種電子機器に本実施の形態１を適用することが可能である。ただし、本実施の形態による撮影装置は、防水加工が施されることで水中での撮影が可能になっているものとする。
【００２４】
本実施の形態で例示する撮影装置１は、後述するように、例えば、撮像範囲中の被写体の光学像から画像データを生成する撮像部と、撮像部で生成された被写体の画像データを再生する電子ファインダと、水中であるか否かを検出するセンサと、センサによって水中であることが検出された場合、撮像部によって生成された画像データの色情報を補正することで色情報が補正された画像データを生成する色情報補正部と、を備える。電子ファインダには、色情報が補正された画像データが再生される。
【００２５】
また、撮影装置１は、外部装置との間で無線または有線によるデータ通信を行う通信部を備える。通信部から送信された画像データは、外部装置によって受信される。外部装置としては、例えば、パーソナルコンピュータやＰＤＡ（Ｐｅｒｓｏｎａｌ  Ｄｉｇｉｔａｌ  Ａｓｓｉｓｔａｎｔｓ）等の表示機能を備えた各種情報処理装置、プリンタやデジタル複合機等の印刷エンジンを備えた画像処理装置、および、フラッシュメモリ（登録商標）や外付けＨＤ（ハードディスク）等の各種ストレージを適用することが可能である。
【００２６】
ここで、本実施の形態１による撮影装置１の概略内部構成例を、図面を用いて詳細に説明する。図１は、撮影装置１の概略内部構成例を示すブロック図である。図２は、撮影装置１のカメラ撮影モード時の概略動作を示すフローチャートである。図３は、図２における疑似カラーライブビューモード時の概略動作を示すフローチャートである。
【００２７】
図１に示すように、撮影装置１は、１つ以上のレンズ１０１よりなる光学系（以下、説明の都合上、光学系をレンズ１０１とする）、撮像素子１０２、アクチュエータ駆動回路１０３、アクチュエータ１０４、撮像回路１０５、フラッシュ１０６、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１０７と、手ブレ補正用ジャイロセンサ１０８と、ＣＰＵ（Ｃｅｎｔｒａｌ  Ｐｒｏｃｅｓｓｉｎｇ  Ｕｎｉｔ）１１０および１２０、Ａ／Ｄ変換回路１３１、ＦＩＦＯメモリ１３２、フレームメモリ（ＳＤＲＡＭ）１３３、記録バッファ１３４、記録媒体インタフェース（Ｉ／Ｆ）１３５、記録媒体１３６、ＴＦＴ液晶駆動回路１４１、ビデオ出力回路１４２、バックライトユニット１４３、ＴＦＴ液晶パネル１４４、キーマトリクス１５０、ＬＣＤ（Ｌｉｑｕｉｄ  Ｃｒｙｓｔａｌ  Ｄｉｓｐｌａｙ）表示回路１６１、ＬＣＤパネル１６２、電池１７１、バックアップ電源１７２、電源回路１７３、ならびに、電池状態検出回路１７４を備える。
【００２８】
上記において、撮像素子１０２、撮像回路１０５、ＣＰＵ１１０およびＡ／Ｄ変換回路１３１を含む構成は、撮像範囲中の被写体の光学像から画像データ（スルー画データを含む）を生成する撮像部として機能する。また、フラッシュ１０６およびＣＰＵ１１０を含む構成は、被写体を照明する照明部として機能する。ＣＰＵ１１０、ＦＩＦＯメモリ１３２、フレームメモリ１３３、ＴＦＴ液晶駆動回路１４１、バックライトユニット１４３およびＴＦＴ液晶パネル１４４を含む構成は、被写体の映像を表示する電子ファインダとして機能する。さらに、水深センサ１８１およびＣＰＵ１１０を含む構成は、水中であるか否かを検出するセンサとして機能する。さらにまた、ＣＰＵ１２０における色情報解析・変換機能１２８または時分割撮影データ合成機能１２７を含む構成は、撮像部によって生成された画像データの色情報を補正することで色情報が補正された画像データを生成する色情報補正部として機能する。そこで、電子ファインダは、色情報が補正された画像データ（スルー画データ）を再生してユーザに表示する。
【００２９】
具体的には、レンズ１０１は、撮像素子１０２の受光面に光学的な被写体像を結像する。撮像素子１０２は、レンズ１０１によって受光面に結像される光学的な被写体像を電気信号に変換する光電変換処理を行うことで、電気的な信号を生成する。この撮像素子１０２には、高速読み出しが可能な固体撮像素子、例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）、またはその他の各種撮像素子を適用することができる。
【００３０】
撮像回路１０５は、撮像素子１０２の各光電変換素子に蓄積された電荷に応じた電気信号を画像信号として読み出し、この画像信号に垂直同期信号および水平同期信号等を組み合わせる。なお、読み出し直後の画像信号は、アナログ信号である。撮像回路１０５は、読み出した画像信号に対して各種アナログ信号処理を実行し、処理後の画像信号をＡ／Ｄ変換回路１３１に入力する。Ａ／Ｄ変換回路１３１は、撮像回路１０５から出力されたアナログの画像信号に対してＡ／Ｄ変換処理を実行する。これにより、アナログの画像信号がデジタルの画像データに変換される。
【００３１】
Ａ／Ｄ変換回路１３１から出力された画像データは、ＣＰＵ１２０、フレームメモリ１３３、ＦＩＦＯ（Ｆｉｒｓｔ−Ｉｎ  Ｆｉｒｓｔ−Ｏｕｔ）メモリ１３２または記録バッファ１３４に適宜入力される。Ａ／Ｄ変換回路１３１、ＣＰＵ１２０、フレームメモリ１３３、ＦＩＦＯメモリ１３２および記録バッファ１３４は、例えば内部バス１３０を介して相互に接続されている。
【００３２】
フレームメモリ１３３は、ＣＰＵ１２０によってデジタル信号処理された画像データ（この画像データに関する各種データ等を含んでもよい）をフレームごとに一時的に記憶する。このフレームメモリ１３３には、例えばＳＤＲＡＭ（Ｓｙｎｃｈｒｏｎｏｕｓ  ＤＲＡＭ）等の半導体記憶素子等を適用することができる。
【００３３】
ＣＰＵ１２０は、主に、画像データや各種データを取り扱う信号処理制御を実行する複数の集積回路により構成され、Ａ／Ｄ変換回路１３１から入力されたデジタルの画像データに対して各種デジタル信号処理を実行する。即ち、ＣＰＵ１２０は、フレームメモリ１３３に一時的に記憶されている画像データに対し、各種信号処理を施す１つ以上の機能を実現する。この機能には、例えば、画像圧縮伸長機能１２２、色情報解析・変換機能１２８、記録媒体アクセス機能１２５および時分割撮影データ合成機能１２７等が存在する。
【００３４】
画像圧縮伸長機能１２２は、フレームメモリ１３３に記憶されている画像データ等を読み出して、例えばＪＰＥＧ圧縮処理等を行ったり記録媒体１３６から読み出された圧縮画像データの伸張処理を行ったりなどの各種処理を実行する。色情報解析・変換機能１２８は、内部バス１３０を介して入力された画像データの色情報を解析し、これを水深に応じて色成分ごとに変換する。記録媒体アクセス機能１２５は、記録媒体インタフェース１３５による記録媒体１３６へのアクセスを制御する。時分割撮影データ合成機能１２７は、時分割で取得した色成分（Ｒ／Ｇ／Ｂ）ごとの画像データを合成して１フレームの画像データを生成する。
【００３５】
ＦＩＦＯメモリ１３２は、表示対象とするフレームの画像信号を各種表示装置へ出力する際にこの画像信号を一時的にバッファする、いわゆるビデオメモリとして機能する。
【００３６】
なお、撮影装置１においては、上述のレンズ１０１、撮像素子１０２、撮像回路１０５、Ａ／Ｄ変換回路１３１、ＣＰＵ１２０およびフレームメモリ１３３を含む構成が、光学レンズ等からなる撮像光学系が撮像素子の受光面に結像した光学像を電気的な信号に変換して画像信号を生成する撮影手段を実現する。また、撮影装置１は、画像信号以外の情報、例えば音声信号等を取得するマイクロフォン等よりなる集音機能等を備えていてもよい。
【００３７】
ＴＦＴ液晶駆動回路１４１は、ＦＩＦＯメモリ１３２から例えば１ラインごとに出力される画像信号に基づいてＴＦＴ液晶パネル１４４を駆動する。ＴＦＴ液晶パネル１４４は、ＴＦＴ液晶駆動回路１４１によって駆動されることで、表示対象の画像や各種情報等を表示する。このＴＦＴ液晶パネル１４４には、カラー表示可能なパネルが用いられる。また、バックライトユニット１４３は、ＴＦＴ液晶パネル１４４の背面側に設けられ、ＴＦＴ液晶パネル１４４を背面側から照明する。
【００３８】
ビデオ出力回路１４２は、ＦＩＦＯメモリ１３２からの画像信号を例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）形式のビデオ信号に変換する。また、ビデオ出力回路１４２は、変換したビデオ信号をビデオ出力端子１４５に接続された外部装置（例えば外部画像表示装置２０１等）へ出力する。なお、ビデオ出力端子１４５は、ビデオ信号の伝送媒体であるビデオケーブル等の信号線が接続される接続端子である。
【００３９】
また、本実施の形態１では、上述のＦＩＦＯメモリ１３２、ＴＦＴ液晶駆動回路１４１、ＴＦＴ液晶パネル１４４およびバックライトユニット１４３を含む構成が、撮像手段が生成した画像データを再生することで被写体の静止画または動画をユーザへ表示する表示手段を実現する。
【００４０】
記録バッファ１３４は、フレームメモリ１３３に一時的に保持されている画像信号等を記録媒体１３６に画像データとして記録するときや、記録媒体１３６から画像データを読み出してフレームメモリ１３３に一時的に保持させるとき等に用いられるバッファ（一時保存領域）である。
【００４１】
記憶媒体インタフェース（Ｉ／Ｆ）１３５は、記録媒体１３６への画像データ等の記憶処理や、記録媒体１３６からの画像データ等の読み出し処理等を制御するための回路である。
【００４２】
記録媒体１３６は、画像データやその他の各種データを記録するストレージである。この記録媒体１３６には、例えば薄板形状またはカード形状からなるメモリカード等の不揮発性の記憶媒体を用いることができる。なお、記録媒体１３６としては、撮影装置１等の機器に対して着脱自在のものや、撮影装置１等の機器内部の電気回路に固設されるもの等、如何なるものを適用してもよい。
【００４３】
また、上述の記録バッファ１３４、記憶媒体インタフェース１３５、記録媒体１３６を含む構成が、画像信号（画像データを含む）などの各種情報を記憶する記憶手段を実現する。
【００４４】
ＣＰＵ１１０は、主（メイン）ＣＰＵとして配設される。このＣＰＵ１１０は、撮影装置１内部の各回路を統括的に制御すると共に、各種機能を実現するために各構成部を制御する、いわゆるメイン制御手段として機能する。そこでＣＰＵ１１０は、撮影装置１内部の各構成部を適宜制御（コントロール）することでシステム全体を制御するシステムコントロール部１１０Ａを備えている。
【００４５】
システムコントロール部１１０Ａは、撮影装置１の動作を制御する各種機能を実現する。この機能としては、例えば、フラッシュモードのオン／オフを管理および制御するフラッシュ制御機能１１２、撮影装置１内部で時間を管理する時計機能１１３、時分割された撮影の各タイムスロットに応じて露光時間を制御する撮影露光時間制御機能１１４、および、フラッシュ１０６が出射する光の波長を制御する色変換機能１１５など存在する。また、この他にも、水深センサ１８１からの検出値より撮影装置１が存在する位置の水深を取得する機能や、主電源である電池１７１の残量をＬＣＤパネル１６２等に表示する機能や、撮影手段にて撮影動作を実行する際の各種の撮影条件を設定する機能や、撮影動作により取得した画像信号と画像信号に関連する各種情報（関連情報データ）とを合わせて画像データを含む画像ファイルを生成する機能や、録音機能により取得される音声信号を音声ファイルとして管理する機能や、記録媒体に記録済みの各種データファイルに基いてアルバム機能や印刷機能を実行したり登録設定を行って各種登録設定データ等を生成しこれを記録媒体に記憶したりする機能や、生成された画像ファイルや音声ファイルや登録設定データ等を適切な形態で記録媒体１３６に記録する制御を行う機能や、画像ファイルに基づく画像や関連情報を表示手段に視覚的に表示させる機能や、音声ファイルに基づく音声をスピーカ等（図示せず）に出力させる機能など、撮影装置１における各種動作及び各種機能を制御するためのさまざまな機能がシステムコントロール部１１０Ａにおいて実現される。
【００４６】
なお、撮影装置１は、無線通信機能を備えた外部装置（図示せず）との間で無線による画像ファイル等のデータ信号の送受信を行うための無線通信機能を備えていてもよい。この無線通信機能を実現する方式には、例えば、ワイヤレスＵＳＢ（ＷＵＳＢ）方式や、超広帯域（ＵＷＢ）無線接続方式や、ＩｒＤＡ（ｉｎｔｒａｒｅｄ  Ｄａｔａ  Ａｓｓｏｃｉａｔｉｏｎ）方式による光無線接続等が存在する。
【００４７】
アクチュエータ１０４は、レンズ１０１を駆動することで、自動焦点調節（オートフォーカス（ＡＦ））動作やズーミング動作等を行うための駆動源である。アクチュエータ駆動回路１０３は、ＣＰＵ１１０の制御に基づいてアクチュエータ１０４を駆動する回路である。
【００４８】
すなわち、アクチュエータ１０４及びアクチュエータ駆動回路１０３を含む構成は、レンズ１０１をその光軸に沿って移動させることで被写体像のオートフォーカス動作や変倍動作等を行うレンズ駆動手段として機能する。
【００４９】
また、ＥＥＰＲＯＭ１０７は、ＣＰＵ１１０、ＣＰＵ１２０により実行される処理プログラム（アプリケーションソフトウエア）等や、外部装置と通信するための通信設定情報等のデータ等、撮影装置１における各種の設定データや固有データ等を記憶し保持するための不揮発性記憶媒体であって、通信設定メモリとして機能する。このＥＥＰＲＯＭ１０７には、例えば電気的に消去可能な不揮発性メモリである公知のフラッシュロム（Ｆｌａｓｈ  ＲＯＭ）等を適用することができる。
【００５０】
また、フラッシュ１０６は、撮影時に被写体を照明する光を放射する光源であり、例えばキセノンランプやＬＥＤ（Ｌｉｇｈｔ  Ｅｍｉｔｔｉｎｇ  Ｄｉｏｄｅ）等で構成される。手ブレ補正用ジャイロセンサ１０８は、撮影装置１に生じているヨー方向およびピッチ方向の角速度を検出し、検出した角速度に基づき撮影装置１のブレを検出する。
【００５１】
キーマトリクス１５０は、ファーストレリーズ１５１やセカンドレリーズ１５２等、撮影装置１の各種操作スイッチや操作ボタン等を含む。なお、ファーストレリーズ１５１とは例えばユーザによるシャッタボタン（不図示）の半押しを検出するキーであり、セカンドレリーズ１５２とは例えばユーザによるシャッタボタンの全押しを検出するキーである。例えばファーストレリーズ１５１によってシャッタボタンの半押しが検出された場合、ＣＰＵ１１０によってオートフォーカス動作が実行される。一方、例えばセカンドレリーズ１５２によってシャッタボタンの全押しが検出された場合、ＣＰＵ１１０によって撮像動作が実行される。
【００５２】
また、キーマトリクス１５０に含まれるその他の操作部材には、例えば撮影装置１の電源状態をオン又はオフ状態に切り換える電源ボタン、撮影動作時には撮影倍率を変更するズームボタンとして機能し再生動作時には再生画像の拡大表示や縮小表示等の表示切換ボタンとして機能するズームボタン（ＴＷボタン）１５３、メニュー画面を呼び出す等の各種機能に割り当てられる複数の各種操作ボタン、メニュー画面等における選択設定を行う四方向選択キー（十字キーともいう）、各種操作ボタンを用いて選択した項目を決定指示するＯＫボタン等が含まれる。
【００５３】
そして、このキーマトリクス１５０には、上述の各種操作部材と、これら操作部材のそれぞれに連動して所定の指示信号を発生させるスイッチ部材や各スイッチ部材からの指示信号を伝達する電気回路等が含まれる。また、ユーザが操作することでキーマトリクス１５０が発生した各種指示信号は、ＣＰＵ１１０へ入力される。
【００５４】
ＬＣＤ表示回路１６１は、ＣＰＵ１１０からの制御に従ってＬＣＤパネル１６２を駆動することで、ＬＣＤパネル１６２に各種情報を表示させる。ＬＣＤパネル１６２は、例えば小型の液晶表示装置（ＬＣＤ）等によって構成され、ＬＣＤ表示回路１６１による駆動に応じて、撮影装置１において設定済みの撮影条件や、例えば撮影モード等の動作モード情報や記録媒体１３６に記憶可能な画像の枚数情報や撮影時のシャッタ速度や絞り値等の露出に関する情報等の各種設定情報を表示する。
【００５５】
水深センサ１８１は、撮影装置１の現在位置の水深を検出するセンサであり、例えば水密加工された圧力センサなどを用いることができる。
【００５６】
電池１７１は、撮影装置１における主（メイン）電源である。この電池１７１には、例えば乾電池等の一次電池や充電可能な蓄電池等の二次電池などが適用される。バックアップ電源１７２は、撮影装置１の内部メモリや内部時計等に対して常に電力を供給するために設けられた副（サブ）電源である。このバックアップ電源１７２からの電力は、例えば撮影装置１における各種設定値や日時情報等を保持したり日時情報をＬＣＤパネル１６２等に常時表示したりするための電力として用いられる。
【００５７】
電源回路１７３は、ＣＰＵ１１０からの制御に基づいて、電池１７１またはバックアップ電源１７２からの電力を撮影装置１内部の各電気回路へ適宜供給する。電池状態検出回路１７４は、電池１７１からの電源電圧などから電池１７１の残量などの状態を検出し、この検出結果をＣＰＵ１１０へ出力する。
【００５８】
その他、本発明に関連しない部分の構成については、通常一般のデジタルスチルカメラ等の撮影装置と略同様の構成であるものとして、その詳細な図示及び説明は省略する。
【００５９】
次に、図２および図３を参照して、本実施の形態１による撮影装置１の動作を詳細に説明する。ただし、以下の説明では、電子ファインダの一部として機能するＴＦＴ液晶パネル１４４に略リアルタイムに撮像素子１０２からの映像（以下、スルー画という）を表示する際の動作（カメラ撮影モード時の動作）に着目して説明する。その他の動作は、通常一般のデジタルスチルカメラ等の撮影装置と略同様の動作とすることが可能である。例えば、撮影装置１の起動後の主動作は、通常一般のデジタルスチルカメラ等の撮影装置と略同様である。したがって、以下では、説明の簡略化を目的として、その詳細な図示及び説明は省略する。
【００６０】
ユーザがキーマトリクス１５０中の電源ボタンやレンズカバー等を操作すると、撮影装置１は、主動作の流れにおいて図２に示すカメラ撮影モード時の動作を起動する（カメラ撮影モード管理ステップ）。なお、カメラ撮影モードとは、電子ファインダ（特にＴＦＴ液晶パネル１４４）に被写体の映像を表示するモードである。このカメラ撮影モードのオン／オフは、例えばＣＰＵ１１０において管理される。言い換えれば、ＣＰＵ１１０は、カメラ撮影モードのオン／オフを管理するカメラ撮影モード管理部として機能する。
【００６１】
カメラ撮影モード時の動作では、図２に示すように、撮影装置１は、まず、ＣＰＵ１１０の制御の下で初期化処理を実行する（ステップＳ１０１）。具体的には、例えばＣＰＵ１１０が、アクチュエータ駆動回路１０３よりアクチュエータ１０４を駆動してレンズ１０１を初期位置へ移動させると共に、撮像素子１０２をリフレッシュする。
【００６２】
次に撮影装置１は、ライブビュー撮影を実行する（ステップＳ１０２）。具体的には、ＣＰＵ１１０の制御の下で撮像回路１０５を駆動して撮像素子１０２から電荷蓄積量に応じた電気信号を読み出してアナログの画像信号を生成し、この画像信号をＡ／Ｄ変換回路１３１に入力する。Ａ／Ｄ変換回路１３１は、入力されたアナログの画像信号に対してＡ／Ｄ変換処理を実行することでデジタルの画像データを生成する。Ａ／Ｄ変換された画像データは、内部バス１３０によるバスコントロールによって直接またはＣＰＵ１２０での所定のデジタル信号処理が施された後にＦＩＦＯメモリ１３２に入力される。一方で、ＣＰＵ１１０の制御の下でＴＦＴ液晶駆動回路１４１を駆動することで、ＦＩＦＯメモリ１３２から１ラインごとに画像データを読み出し、これをＴＦＴ液晶パネル１４４に入力する。この際、ＣＰＵ１１０はバックライトユニット１４３を点灯しておく。これにより、電子ファインダの一部であるＴＦＴ液晶パネル１４４には、撮像素子１０２から読み出された画像データによる映像が略リアルタイムにスルー画として表示される。
【００６３】
次に撮影装置１は、ＣＰＵ１１０において水深センサ１８１から出力された検出値が水中であることを示しているか否かを判定する（ステップＳ１０３）。ステップＳ１０３の判定の結果、撮影装置１の現在位置が水中でない場合（ステップＳ１０３のＮｏ）、撮影装置１は、通常ライブビューモードへ移行し、この動作を実行する（ステップＳ１０４）。通常ライブビューモードでは、撮像素子１０２から得られた画像信号が、Ａ／Ｄ変換回路１３１およびＦＩＦＯメモリ１３２を介してＴＦＴ液晶駆動回路１４１に入力される。したがって、ＴＦＴ液晶パネル１４４には、そのままの画像がスルー画として表示される。
【００６４】
一方、ステップＳ１０３の判定の結果、撮影装置１の現在位置が水中である場合（ステップＳ１０３のＹｅｓ）、撮影装置１は、疑似カラーライブビューモードへ移行し、この動作を実行する（ステップＳ１０５）。なお、疑似カラーライブビューモードの詳細については、以下に図３と共に触れる。
【００６５】
ステップＳ１０４の通常ライブビューモードまたはステップＳ１０５の疑似カラービューモード時の動作を実行後、撮影装置１は、主動作へリターンする。
【００６６】
次に、図２のステップＳ１０５に示す疑似カラービューモード時の動作について、図３を用いて詳細に説明する。疑似カラービューモード時の動作では、図３に示すように、撮影装置１は、まず、ＣＰＵ１１０が水深センサ１８１から出力された検出値を読み出し（ステップＳ１１１）、この検出値から現在の水深を特定する。具体的には、例えば水深センサ１８１からの検出値と水深との対応関係をあらかじめテーブルとして保持しておき、検出値に基づいてＣＰＵ１１０がこのテーブルを参照することで特定する。
【００６７】
次に撮影装置１は、ＣＰＵ１１０の制御の下で撮像回路１０５を駆動することで、撮像素子１０２から画像信号を読み出し、この画像信号をＡ／Ｄ変換回路１３１においてデジタルの画像データに変換した後、この画像データの波長成分ごとの色情報を補正（カラー補正）する（ステップＳ１１２）。なお、以下の説明において、電子ファインダ（特にＴＦＴ液晶パネル１４４）に表示するライブビュー画像として取得した画像データをスルー画データといい、その画像をスルー画という。また、以下の式１において、ｚλはスルー画データに含まれる波長λ成分ごとの補正後の色情報（色レベル）であり、Ｙλはスルー画データに含まれる波長λ成分ごとの補正前の色情報（色レベル）であり、Ｘλは波長λごとの補正係数であり、αは水深センサ１８１およびＣＰＵ１１０によって検出されたスルー画撮像時の水深である。
ｚλ＝Ｙλ×（Ｘλ）α      …（式１）
【００６８】
ここで、補正係数について説明する。図４は、水中での波長λと単位長さ（１ｍ）あたりの光減衰率Ｄλとの関係を示す光減衰率曲線Ｌ１およびこの関係から求めた波長λごとの補正係数Ｘλを示す補正係数曲線Ｌ２を説明するためのグラフである。図４のグラフに示すように、水中での光減衰率Ｄλは、光の波長λが長くなるほど大きくなる。そこで本実施の形態では、以下の式２に示す光減衰率Ｄλの逆数より求めた値を波長λごとの補正係数Ｘλに用いる。
Ｘλ＝１／Ｄλ      …（式２）
【００６９】
したがって、ステップＳ１１２では、Ａ／Ｄ変換処理されたスルー画データが入力されたＣＰＵ１２０によって呼び出された色情報解析・変換機能１２８は、式１および式２から導かれる以下の式３に基づいてスルー画データのカラー補正を行う。
ｚλ＝Ｙλ×（１／Ｄλ）α      …（式３）
【００７０】
例えば図５（ａ）のカラー補正前のスルー画ＩＭ１に示すように、色情報を補正する前のスルー画、すなわちフラッシュ１０６を駆動しない状態で撮像素子１０２から読み出したままの画像信号をＡ／Ｄ変換して得られた画像データを再生して得られる画像は、赤系の色成分が少ないために、被写体ＯＢ１や背景ＢＫ１の色合いが青色に偏っている。これに対し、色情報を補正した後のスルー画は、太陽光等が減衰することで存在量が減ってしまった色成分が補われるため、図５（ｂ）のカラー補正後のスルー画ＩＭ２に示すように、被写体ＯＢ２や背景ＢＫ２に実物と同様の色彩を持たせることが可能となる。なお、図５は、本実施の形態によるカラー補正前のスルー画ＩＭ１（図５（ａ）参照）とカラー補正後のスルー画ＩＭ２（図５（ｂ）参照）とを示す図である。また、参考として、図６に、フラッシュ１０６を駆動した際の撮影により得られる画像（フラッシュ駆動時の画像ＩＭ０）を示す。図６と図５（ａ）および図５（ｂ）とを比較すると分かるように、カラー補正後のスルー画ＩＭ２（図５（ｂ）参照）は、フラッシュ駆動時の画像ＩＭ０（図６参照）と同程度の色彩を再現することが可能である。なお、上記した補正式（式１）は、水深と色との関係を近似式として表した一例である。したがって、本発明では、上記式１に限らず、水深と色との関係を表す種々の式を用いることができる。
【００７１】
以上のようにスルー画データの色情報を補正すると、次に撮影装置１は、カラー補正後のスルー画を電子ファインダのＴＦＴ液晶パネル１４４にライブビュー表示する（ステップＳ１１３）。具体的には、カラー補正後のスルー画データは、内部バス１３０を介してＦＩＦＯメモリ１３２に一旦バッファされる。その後、ＣＰＵ１１０の制御の下にＴＦＴ液晶駆動回路１４１が駆動されてＦＩＦＯメモリ１３２から１ラインごとにスルー画データが読み出され、このスルー画データに基づいてＴＦＴ液晶パネル１４４が駆動される。これにより、カラー補正後のスルー画がＴＦＴ液晶パネル１４４にライブビュー表示される。その後、撮影装置１は、図２のカメラ撮影モード時の動作へリターンする。
【００７２】
以上で説明したように、本実施の形態１では、水中での減衰率が大きい波長の色成分データをこの減衰率に応じて補正する。この結果、本実施の形態では、水中であっても電子ファインダを介してユーザにリアルな被写体の映像を表示することが可能となる。
【００７３】
＜実施の形態２＞
次に、本発明の実施の形態２による撮影装置の構成および動作について、図面を用いて詳細に説明する。
【００７４】
本実施の形態２では、赤色成分（Ｒ成分）、緑色成分（Ｇ成分）および青色成分（Ｂ成分）ごとに画像データを取得し、これを合成することで、電子ファインダ（特にＴＦＴ液晶パネル１４４）に表示するスルー画を生成する。この際、各色成分を抽出する素とする画像データを取得する際の撮像時間（すなわち、撮像素子１０２への露光時間）を調整する。
【００７５】
例えば図７に示すように、撮像開始から最初のタイミングｔ１では、青色（Ｂ）成分の画像データ（以下、単にＢ成分データ（第１画像データ）という）ｉｍ１１ｂを抽出するための画像データｉｍ０１ｂ（第１画像データ）を取得する。この際の撮像時間をｔＢ（第１撮像時間）とする。また、２番目のタイミングｔ２では、緑色（Ｇ）成分の画像データ（以下、単にＧ成分データ（第１画像データ）という）ｉｍ１２ｇを抽出するための画像データｉｍ０２ｇ（第１画像データ）を取得する。この際の撮像時間をｔＧ（第１撮像時間）とする。さらに、３番目のタイミングｔ３では、赤色（Ｒ）成分の画像データ（以下、単にＲ成分データ（第２画像データ）という）ｉｍ１３ｒを抽出するための画像データｉｍ０３ｒ（第２画像データ）を取得する。この撮像時間をｔＲ（第２撮像時間）とする。以降、Ｂ成分データｉｍ１（３ｎ＋１：ｎは０以上の整数）ｂを抽出するための画像データｉｍ０（３ｎ＋１）ｂの取得、Ｇ成分データｉｍ１（３ｂ＋２）ｇを抽出するための画像データｉｍ０（３ｎ＋２）ｇの取得、および、Ｒ成分データｉｍ１（３ｎ＋３）ｒを抽出するための画像データｉｍ０（３ｎ＋３）ｒの取得をくり返す。なお、図７は、本実施の形態２において実行される時分割撮影でのライブビュー表示の概略動作を説明するための図である。
【００７６】
画像データｉｍ０（３ｎ＋１）ｂを取得する際の撮像時間ｔＢと画像データｉｍ０（３ｎ＋２）ｇを取得する際の撮像時間ｔＧと画像データｉｍ０（３ｎ＋３）ｒを取得する際の撮像時間ｔＲとは、色成分の光の減衰率Ｄλに基づいて設定される。上述したように、水中では赤色成分の光の減衰率が青色成分の光の減衰率と比較して大きいため、例えば撮像時間ｔＲは撮像時間ｔＧよりも長く、撮像時間ｔＧは撮像時間ｔＢよりも長く設定される。
【００７７】
具体的には、例えば、通常の撮像動作で使用する撮像時間の演算式から求められた撮像時間をＴとし、Ｒ成分、Ｇ成分およびＢ成分ごとの現在の水深αでの減衰率をＤｒα、ＤｇαおよびＤｂαとすると、各色成分を抽出する素とする画像データを取得する際の撮像時間ｔＲ、ｔＧおよびｔＢは、以下の式４〜式６で求められる値とすることができる。
ｔＲ＝Ｔ×（１／Ｄｒα）      …（式４）
ｔＧ＝Ｔ×（１／Ｄｇα）      …（式５）
ｔＢ＝Ｔ×（１／Ｄｂα）      …（式６）
【００７８】
また、画像データｉｍ０（３ｎ＋１）ｂから抽出したＢ成分データｉｍ１（３ｎ＋１）ｂは、タイミングｔ（３ｎ＋１）〜ｔ（３ｎ＋３）に電子ファインダのＴＦＴ液晶パネル１４４に表示するスルー画データの生成に使用される。例えば図７に示す例では、ｉｍ０１ｂから抽出したＢ成分データｉｍ１１ｂは、タイミングｔ１〜ｔ３に電子ファインダのＴＦＴ液晶パネル１４４に表示するスルー画データＩＭ１１〜ＩＭ１３の生成に使用される。同様に、画像データｉｍ０２ｇから抽出したＧ成分データｉｍ１２ｇはタイミングｔ２〜ｔ４に電子ファインダのＴＦＴ液晶パネル１４４に表示するスルー画データＩＭ１２〜ＩＭ１４の生成に使用され、画像データｉｍ０３ｒから抽出したＲ成分データｉｍ１３ｒはタイミングｔ３〜ｔ５に電子ファインダのＴＦＴ液晶パネル１４４に表示するスルー画データＩＭ１３〜ＩＭ１５の生成に使用され、画像データｉｍ０４ｂから抽出したＢ成分データｉｍ１４ｂはタイミングｔ４〜ｔ６に電子ファインダのＴＦＴ液晶パネル１４４に表示するスルー画データＩＭ１４〜ＩＭ１６の生成に使用され、画像データｉｍ０５ｇから抽出したＧ成分データｉｍ１５ｇはタイミングｔ５〜ｔ７に電子ファインダのＴＦＴ液晶パネル１４４に表示するスルー画データＩＭ１５〜ＩＭ１７の生成に使用される。
【００７９】
このように、それぞれの色成分でバランスが取れるように設定された撮像時間にて成分データを抽出する素とする画像データを取得し、これらを合成して１つのスルー画データ（フレームデータともいう）を生成することで、上記実施の形態１と同様に、水中であっても電子ファインダを介してユーザにリアルな被写体の映像を表示することが可能となる。さらに、上記した実施の形態１では、減衰した色成分を電気的に増幅して色情報を補正しているのに対し、本実施の形態２では、抽出対象の色成分に応じて撮像時間を延ばすことで十分な値の色情報を取得している。このため、本実施の形態では、ノイズが電気的に増幅されることを回避でき、結果、よりノイズの少ない美しい映像を再生することが可能となる。
【００８０】
なお、本実施の形態２による撮影装置は、上記実施の形態１による撮影装置１と同様の構成の撮影装置を用いることが可能であるため、本実施の形態２では撮影装置１を引用して説明する。
【００８１】
図８は、本実施の形態による撮影装置１の疑似カラーライブビューモード時の概略動作を示すフローチャートである。図９は、図８のステップＳ２１３における時分割撮影でのライブビュー表示の概略動作を示すフローチャートである。なお、撮影装置１の主動作およびカメラ撮影モード時の概略動作は、上記実施の形態１と同様であるため、ここでは詳細な説明を省略する。
【００８２】
図８に示すように、本実施の形態２による疑似カラービューモード時の動作では、撮影装置１は、まず、ＣＰＵ１１０が水深センサ１８１から出力された検出値を読み出し（ステップＳ２１１）、この検出値から現在の水深を特定する。具体的には、例えば水深センサ１８１からの検出値と水深との対応関係をあらかじめテーブルとして保持しておき、検出値に基づいてＣＰＵ１１０がこのテーブルを参照することで特定する。
【００８３】
次に撮影装置１は、特定した水深を用いて、Ｒ成分、Ｇ成分およびＢ成分を抽出する素とする画像データを取得する際の撮像時間ｔＲ、ｔＧおよびｔＢをそれぞれ算出する（ステップＳ２１２）。なお、撮像時間ｔＲ、ｔＧおよびｔＢの算出例については、上述したため、ここでは詳細な説明を省略する。
【００８４】
次に撮影装置１は、算出した各色成分の撮像時間ｔＲ、ｔＧおよびｔＢを用いて時分割での撮影を実行し、これにより取得された画像データからＲ、ＧおよびＢ成分の画像データをそれぞれ抽出し、抽出した画像データを合成して合成画像データを生成し、この合成画像をスルー画として電子ファインダにライブビュー表示する（ステップＳ２１３）。なお、このステップＳ２１３の詳細については、以下に図９を用いて説明する。また、時分割撮影でのライブビュー表示を実行すると、撮影装置１は、図２のカメラ撮影モード時の動作へリターンする。
【００８５】
次に、図８のステップＳ２１３に示す時分割撮像でのライブビュー表示の概略動作について、図９を用いて詳細に説明する。図９に示すように、本動作では、撮影装置１は、まず、不図示のカウンタのカウント値Ｎを‘１’にセットする（ステップＳ２２１）。なお、カウンタは、ＣＰＵ１１０内に実行された、いわゆるソフトカウンタであっても、ＣＰＵ１１０外部に設けられた、いわゆるハードカウンタであってもよい。
【００８６】
次に撮影装置１は、カウンタのカウント値が１であるか否かを判定し（ステップＳ２２２）、カウント値が１である場合（ステップＳ２２２のＹｅｓ）、青色成分用の撮像時間ｔＢで撮像を実行する（ステップＳ２２３）。また、撮影装置１は、カウンタのカウント値を‘２’にセットする（ステップＳ２２４）。
【００８７】
次に撮影装置１は、ステップＳ２２３での撮影により取得した画像データからＢ成分データを抽出し（ステップＳ２２５）、このＢ成分データをスルー画生成用のＢ成分データ（スルー画生成用Ｂ成分データ）として例えばフレームメモリ１３３に保存し（ステップＳ２２６）、その後、ステップＳ２３６へ移行する。なお、画像データからのＢ成分データの抽出は、例えばＣＰＵ１２０において時分割撮影データ合成機能１２７が呼び出されて実行される。また、前回保存されたスルー画生成用Ｂ成分データがフレームメモリ１３３中に存在する場合、この前回分のスルー画生成用Ｂ成分データはフレームメモリ１３３から削除される。
【００８８】
また、ステップＳ２２２の判定の結果、カウンタのカウント値が１でない場合（ステップＳ２２２のＮｏ）、撮影装置１は、次にカウンタのカウント値が２であるか否かを判定し（ステップＳ２２７）、カウント値が２である場合（ステップＳ２２７のＹｅｓ）、緑色成分用の撮像時間ｔＧで撮像を実行する（ステップＳ２２８）。また、撮影装置１は、カウンタのカウント値を‘３’にセットする（ステップＳ２２９）。
【００８９】
次に撮影装置１は、ステップＳ２２８での撮影により取得した画像データからＧ成分データを抽出し（ステップＳ２３０）、このＧ成分データをスルー画生成用のＧ成分データ（スルー画生成用Ｇ成分データ）として例えばフレームメモリ１３３に保存し（ステップＳ２３１）、その後、ステップＳ２３６へ移行する。なお、画像データからのＧ成分データの抽出は、Ｂ成分データの抽出と同様に、例えばＣＰＵ１２０において時分割撮影データ合成機能１２７が呼び出されて実行される。また、前回保存されたスルー画生成用Ｇ成分データがフレームメモリ１３３中に存在する場合、この前回分のスルー画生成用Ｇ成分データはフレームメモリ１３３から削除される。
【００９０】
また、ステップＳ２２７の判定の結果、カウンタのカウント値が２で無い場合（ステップＳ２２７のＮｏ）、撮影装置１は、赤色成分用の撮像時間ｔＲで撮影を実行する（ステップＳ２３２）。また、撮影装置１は、カウンタのカウント値を‘１’にセットする（ステップＳ２３３）。
【００９１】
次に撮影装置１は、ステップＳ２３２での撮影により取得した画像データからＲ成分データを抽出し（ステップＳ２３４）、このＲ成分データをスルー画生成用のＲ成分データ（スルー画生成用Ｒ成分データ）として例えばフレームメモリ１３３に保存し（ステップＳ２３５）、その後、ステップＳ２３６へ移行する。なお、画像データからのＲ成分データの抽出は、Ｂ、Ｇ成分データの抽出と同様に、例えばＣＰＵ１２０において時分割撮影データ合成機能１２７が呼び出されて実行される。また、前回保存されたスルー画生成用Ｒ成分データがフレームメモリ１３３中に存在する場合、この前回分のスルー画生成用Ｒ成分データはフレームメモリ１３３から削除される。
【００９２】
以上のように各色成分の画像データを抽出すると、次に撮影装置１は、フレームメモリ１３３等にスルー画生成用Ｒ成分データが保存されているか否かを判定し（ステップＳ２３６）、保存されている場合（ステップＳ２３６のＹｅｓ）、スルー画生成用Ｒ成分データ、スルー画生成用Ｇ成分データおよびスルー画生成用Ｂ成分データ、すなわち全ての色成分の画像データを合成して１フレーム分のスルー画データを生成し（ステップＳ２３７）、ステップＳ２４１へ移行する。
【００９３】
また、ステップＳ２３６の判定の結果、スルー画生成用Ｒ成分データが保存されていない場合（ステップＳ２３６のＮｏ）、次に撮影装置１は、フレームメモリ１３３等にスルー画生成用Ｇ成分データが保存されているか否かを判定し（ステップＳ２３８）、保存されている場合（ステップＳ２３８のＹｅｓ）、スルー画生成用Ｇ成分データおよびスルー画生成用Ｂ成分データ、すなわち不足している赤色成分の画像データ以外の画像データを合成して１フレーム分のスルー画データを生成し（ステップＳ２３９）、ステップＳ２４１へ移行する。
【００９４】
また、ステップＳ２３８の判定の結果、スルー画生成用Ｇ成分データが保存されていない場合（ステップＳ２３８のＮｏ）、撮影装置１は、スルー画生成用Ｂ成分データを用いて１フレーム分のスルー画データを生成し（ステップＳ２４０）、ステップＳ２４１へ移行する。
【００９５】
次に撮影装置１は、ステップＳ２３７、Ｓ２３９またはＳ２４０で生成したスルー画データを電子ファインダのＴＦＴ液晶パネル１４４に略リアルタイムに表示するライブビュー表示を実行する（ステップＳ２４１）。
【００９６】
その後、撮影装置１は、ライブビュー表示を終了するか否かを判定し（ステップＳ２４２）、終了しない場合、すなわちライブビュー表示を継続する場合（ステップＳ２４２のＮｏ）、ステップＳ２２２へ帰還する。一方、ライブビュー表示を終了する場合（ステップＳ２４２のＹｅｓ）、撮影装置１は、図８の疑似カラーライブビューモード時の動作へリターンする。
【００９７】
以上のように、本実施の形態２によれば、水中での減衰率が大きい波長の色成分データを抽出する素とする画像データを取得する際、撮像時間を調整してより強い画像信号を生成する。また、各色成分に応じた撮像時間で取得された画像データより色成分データを抽出し、これらを合成することで１フレーム分のスルー画データ（色情報が補正された画像データ）を生成する。この結果、本実施の形態では、上記した実施の形態１と同様に、水中であっても電子ファインダを介してユーザにリアルな被写体の映像を表示することが可能となる。さらに、本実施の形態２では、上述したように、抽出対象の色成分に応じて撮像時間を延ばすことで十分な値の色情報を取得しているため、ノイズが電気的に増幅されることを回避でき、結果、よりノイズの少ない美しい映像を再生することが可能となる。
【００９８】
＜実施の形態３＞
また、上記した実施の形態２では、Ｒ成分データとＧ成分データとＢ成分データとをそれぞれ別々の画像データから抽出し、これらを合成して１つのスルー画データ（フレームデータ）を生成したが、本発明はこれに限定されず、例えばＧ成分データとＢ成分データとを１つの画像データから抽出するように構成してもよい。以下、この場合を本発明の実施の形態３として、図面を用いて詳細に説明する。なお、Ｇ成分データおよびＢデータを抽出する素とする画像データの撮像時間は、例えば通常撮像時の撮像時間Ｔとすることができる。ただし、これに限定されず、Ｇ成分データの抽出に合わせた撮像時間ｔＧとしても、Ｂ成分データの抽出に合わせた撮像時間ｔＢとしてもよい。
【００９９】
本実施の形態３では、例えば図１０に示すように、撮像開始から最初のタイミングｔ１１では、Ｇ成分データｉｍ３１ｇおよびＢ成分データｉｍ３１ｂの両方を抽出するための画像データｉｍ２１ｇｂを取得する。また、２番目のタイミングｔ１２では、Ｒ成分データｉｍ３２ｒを抽出するための画像データｉｍ２２ｒを取得する。以降、Ｇ成分データｉｍ３（２ｎ＋１：ｎは０以上の整数）ｇおよびＢ成分データｉｍ３（２ｎ＋１：ｎは０以上の整数）ｂの両方を抽出するための画像データｉｍ２（２ｎ＋１）ｇｂの取得、および、Ｒ成分データｉｍ３（２ｂ＋２）ｒを抽出するための画像データｉｍ２（２ｎ＋２）ｒの取得をくり返す。なお、図１０は、本実施の形態３において実行される時分割撮影でのライブビュー表示の概略動作を説明するための図である。
【０１００】
また、画像データｉｍ２（２ｎ＋１）ｇｂから抽出したＧ成分データｉｍ３（２ｎ＋１）ｇおよびＢ成分データｉｍ３（２ｎ＋１）ｂは、タイミングｔ１（２ｎ＋１）およびｔ（２ｎ＋２）に電子ファインダのＴＦＴ液晶パネル１４４に表示するスルー画データの生成に使用される。例えば図１０に示す例では、画像データｉｍ２１ｇｂから抽出したＧ成分データｉｍ３１ｇおよびＢ成分データｉｍ３１ｂは、タイミングｔ１１およびｔ１２に電子ファインダのＴＦＴ液晶パネル１４４に表示するスルー画データＩＭ２１およびＩＭ２２の生成に使用される。同様に、画像データｉｍ２２ｒから抽出したＲ成分データｉｍ３２ｒはタイミングｔ１２およびｔ１３に電子ファインダのＴＦＴ液晶パネル１４４に表示するスルー画データＩＭ２２およびＩＭ２３の生成に使用され、画像データｉｍ２３ｇｂから抽出したＧ成分データｉｍ３３ｇおよびＢ成分データｉｍ３３ｂはタイミングｔ１３およびｔ１４に電子ファインダのＴＦＴ液晶パネル１４４に表示するスルー画データＩＭ２３およびＩＭ２４の生成に使用される。なお、図１０では、都合上、タイミングｔ１１〜ｔ１２間とタイミングｔ１２〜ｔ１３間との距離が異なるが、必ずしも異なるとは限らない。
【０１０１】
このように、それぞれの色成分でバランスが取れるように設定された撮像時間にて成分データを抽出する素とする画像データを取得し、これらを合成して１つのスルー画データ（フレームデータともいう）を生成することで、上記実施の形態１または２と同様に、水中であっても電子ファインダを介してユーザにリアルな被写体の映像を表示することが可能となる。
【０１０２】
なお、本実施の形態３による撮影装置は、上記実施の形態１による撮影装置１と同様の構成の撮影装置を用いることが可能であるため、本実施の形態３では撮影装置１を引用して説明する。また、本実施の形態による主動作、カメラ撮影モード時の概略動作および疑似カラーライブビューモード時の概略動作は、上述した実施の形態２と同様であるため、ここでは詳細な説明を省略する。ただし、本実施の形態３では、疑似カラーライブビューモード時の動作におけるライブビュー表示の概略動作が、図１１に示す概略動作に置き換えられる。
【０１０３】
図１１に示すように、ライブビュー表示の動作では、撮影装置１は、まず、不図示のカウンタのカウント値Ｎを‘０’にセットする（ステップＳ３２１）。なお、カウンタは、ＣＰＵ１１０内に実行された、いわゆるソフトカウンタであっても、ＣＰＵ１１０外部に設けられた、いわゆるハードカウンタであってもよい。
【０１０４】
次に撮影装置１は、カウンタのカウント値が０であるか否かを判定し（ステップＳ３２２）、カウント値が０である場合（ステップＳ３２２のＹｅｓ）、通常の撮像時間Ｔで撮像を実行する（ステップＳ３２３）。また、撮影装置１は、カウンタのカウント値を‘１’にセットする（ステップＳ３２４）。
【０１０５】
次に撮影装置１は、ステップＳ３２３での撮影により取得した画像データからＢ成分データおよびＧ成分データを抽出し（ステップＳ３２５）、抽出したＢ成分データおよびＧ成分データをスルー画生成用Ｂ成分データおよびスルー画生成用Ｇ成分データとして例えばフレームメモリ１３３に保存する（ステップＳ３２６）。また、撮影装置１は、ステップＳ３２３で取得したそのままの画像データからスルー画データを生成する（ステップＳ３２７）。すなわち、ステップＳ３２３で取得した画像データをそのままスルー画データとして用いる。その後、撮影装置１は、ステップＳ３３９へ移行する。
【０１０６】
また、ステップＳ３２２の判定の結果、カウンタのカウント値が０で無い場合（ステップＳ３２２のＮｏ）、撮影装置１は、次にカウンタのカウント値が１であるか否かを判定し（ステップＳ３２８）、カウント値が１である場合（ステップＳ３２８のＹｅｓ）、赤色成分用の撮像時間ｔＲで撮像を実行する（ステップＳ３２９）。また、撮影装置１は、カウンタのカウント値を‘２’にセットする（ステップＳ３３０）。
【０１０７】
次に撮影装置１は、ステップＳ３２９での撮影により取得した画像データから赤色（Ｒ）成分の画像データ（以下、単にＲ成分データという）を抽出し（ステップＳ３３１）、このＲ成分データをスルー画生成用のＲ成分データ（スルー画生成用Ｒ成分データ）として例えばフレームメモリ１３３に保存する（ステップＳ３３２）。また、撮影装置１は、抽出したスルー画生成用Ｒ成分データと、フレームメモリ１３３中に保存されているスルー画生成用Ｇ成分データおよびスルー画生成用Ｂ成分データと、を合成して１フレーム分のスルー画データを生成し（ステップＳ３３３）、ステップＳ３３９へ移行する。なお、前回保存されたスルー画生成用Ｒ成分データがフレームメモリ１３３中に存在する場合、この前回分のスルー画生成用Ｒ成分データはフレームメモリ１３３から削除される。
【０１０８】
また、ステップＳ３２８の判定の結果、カウンタのカウント値が１で無い場合（ステップＳ３２８のＮｏ）、撮影装置１は、通常撮像時の撮像時間Ｔで撮影を実行する（ステップＳ３３４）。また、撮影装置１は、カウンタのカウント値を‘１’にセットする（ステップＳ３３５）。
【０１０９】
次に撮影装置１は、ステップＳ３３４での撮影により取得した画像データからＢ成分データおよびＧ成分データを抽出し（ステップＳ３３６）、抽出したＢ成分データおよびＧ成分データをスルー画生成用Ｂ成分データおよびスルー画生成用Ｇ成分データとして例えばフレームメモリ１３３に保存する（ステップＳ３３７）。また、撮影装置１は、抽出したスルー画生成用Ｇ成分データおよびスルー画生成用Ｂ成分データと、フレームメモリ１３３中に保存されているスルー画生成用Ｒ成分データと、を合成して１フレーム分のスルー画データを生成し（ステップＳ３３８）、ステップＳ３３９へ移行する。なお、前回保存されたスルー画生成用Ｇ成分データおよびスルー画生成用Ｂ成分データがフレームメモリ１３３中に存在する場合、この前回分のスルー画生成用Ｇ成分データおよびスルー画生成用Ｂ成分データはフレームメモリ１３３から削除される。
【０１１０】
以上のようにスルー画データを生成すると次に撮影装置１は、ステップＳ３２７、Ｓ３３３またはＳ３３８で生成したスルー画データを電子ファインダのＴＦＴ液晶パネル１４４に略リアルタイムに表示するライブビュー表示を実行する（ステップＳ３３９）。
【０１１１】
その後、撮影装置１は、ライブビュー表示を終了するか否かを判定し（ステップＳ３４０）、終了しない場合、すなわちライブビュー表示を継続する場合（ステップＳ３４０のＮｏ）、ステップＳ３２２へ帰還する。一方、ライブビュー表示を終了する場合（ステップＳ３４０のＹｅｓ）、撮影装置１は、図８の疑似カラーライブビューモード時の動作へリターンする。
【０１１２】
以上のように、本実施の形態３によれば、上記実施の形態２と同様に、水中での減衰率が大きい波長の色成分データを抽出する素とする画像データを取得する際、撮像時間を調整してより強い画像信号を生成する。また、各色成分に応じた撮像時間で取得された画像データより色成分データを抽出し、これらを合成することで１フレーム分のスルー画データ（色情報が補正された画像データ）を生成する。この結果、本実施の形態では、上記した実施の形態１または２と同様に、水中であっても電子ファインダを介してユーザにリアルな被写体の映像を表示することが可能となる。
【０１１３】
＜実施の形態４＞
次に、本発明の実施の形態４による撮影装置の構成および動作について、図面を用いて詳細に説明する。
【０１１４】
本実施の形態で例示する撮影装置４は、後述するように、例えば、水中であるか否かを検出する水中センサと、撮像範囲中の被写体の光学像から画像データを生成する撮像部と、被写体を照明する照明部と、被写体の映像を表示する電子ファインダと、を備え、さらに、照明部によって照明された被写体の光学像から撮像部が生成した第１画像データに含まれる第１色情報を解析する色情報解析部と、照明部が駆動されていない際に撮像部が被写体の光学像から生成した第２画像データの第２色情報を第１色情報で補正する色情報補正部と、を備える。撮影装置４の電子ファインダには、第２色情報が補正された第２画像データが再生される。
【０１１５】
ここで、本実施の形態４による撮影装置４の概略内部構成例を、図面を用いて詳細に説明する。ただし、以下の説明において、上記した実施の形態１〜３の何れかと同一の構成については、同一の符号を付し、その詳細な説明を省略する。
【０１１６】
図１２は、撮影装置４の概略内部構成例を示すブロック図である。図１３は、撮影装置４のカメラ撮影モード時の概略動作を示すフローチャートである。図１４は、図１３における疑似カラーライブビューモード時の概略動作を示すフローチャートである。
【０１１７】
図１２と図１とを比較すると明らかなように、本実施の形態による撮影装置４は、実施の形態１による撮影装置１と同様の構成において、ＣＰＵ１１０において、フラッシュ制御機能１１２および時計機能１１３の他にされる機能が、カメラ撮像画角判定機能１１１が実行される。また、ＣＰＵ１２０において、画像圧縮伸長機能１２２および記録媒体アクセス機能１２５の他に、画像認識機能１２１、被写体識別機能１２４および色情報解析・再現機能１２３が実行される。
【０１１８】
上記において、撮像素子１０２、撮像回路１０５、ＣＰＵ１１０およびＡ／Ｄ変換回路１３１を含む構成は、撮像範囲中の被写体の光学像から画像データ（スルー画データを含む）を生成する撮像部として機能する。また、フラッシュ１０６およびＣＰＵ１１０を含む構成は、被写体を照明する照明部として機能する。ＣＰＵ１１０、ＦＩＦＯメモリ１３２、フレームメモリ１３３、ＴＦＴ液晶駆動回路１４１、バックライトユニット１４３およびＴＦＴ液晶パネル１４４を含む構成は、被写体の映像を表示する電子ファインダとして機能する。さらに、ＣＰＵ１２０における画像認識機能１２１、被写体識別機能１２４および色情報解析・再現機能１２３を含む構成は、照明部によって照明された被写体の光学像から撮像部が生成した画像データ（第１画像データ）に含まれる色情報（第１色情報）を解析する色情報解析部として機能する。さらにまた、ＣＰＵ１２０における色情報解析・再現機能１２３を含む構成は、照明部が駆動されていない際に撮像部が被写体の光学像から生成したスルー画データ（第２画像データ）の色情報（第２色情報）を画像データ（第１画像データ）の色情報（第１色情報）で補正する色情報補正部として機能する。そこで、電子ファインダは、色情報（第２色情報）が補正されたスルー画データ（第２画像データ）を再生してユーザに表示する。
【０１１９】
画像認識機能１２１は、画像データに含まれる色彩などの変化から画像中の特徴点を抽出し、この抽出結果に基づいて画像中の領域等を認識する。被写体識別機能１２４は、画像認識機能１２１によって認識された領域の配置等から画像中に含まれる被写体の形状等を識別する。色情報解析・再現機能１２３は、例えば、被写体識別機能１２４によって識別された被写体の各領域の色情報を特定し、この色もしくは模様のテクスチャを別の画像に含まれる同一被写体の対応領域にマッピングする。
【０１２０】
次に、図１３および図１４を参照して、本実施の形態２による撮影装置４の動作を詳細に説明する。ただし、以下の説明では、電子ファインダの一部として機能するＴＦＴ液晶パネル１４４に略リアルタイムに撮像素子１０２からのスルー画を表示する際の動作（カメラ撮影モード時の動作）に着目して説明する。その他の動作は、通常一般のデジタルスチルカメラ等の撮影装置と略同様の動作とすることが可能である。例えば、撮影装置４の起動後の主動作は、通常一般のデジタルスチルカメラ等の撮影装置と略同様である。したがって、以下では、説明の簡略化を目的として、その詳細な図示及び説明は省略する。
【０１２１】
ユーザがキーマトリクス１５０中の電源ボタンやレンズカバー等を操作すると、撮影装置４は、主動作の流れにおいて図１３に示すカメラ撮影モード時の動作を起動する（カメラ撮影モード管理ステップ）。なお、カメラ撮影モードとは、電子ファインダ（特にＴＦＴ液晶パネル１４４）に被写体の映像を表示するモードである。このカメラ撮影モードのオン／オフは、例えばＣＰＵ１１０において管理される。言い換えれば、ＣＰＵ１１０は、カメラ撮影モードのオン／オフを管理するカメラ撮影モード管理部として機能する。
【０１２２】
図１３と図２とを比較すると明らかなように、本実施の形態４によるカメラ撮影モード時の動作は、上記実施の形態１によるカメラ撮影モード時の動作と同様の動作において、ステップＳ１０５の疑似カラーライブビューモード時の動作が、ステップＳ４０１の疑似カラーライブビューモード時の動作に置き換えられている。疑似カラーライブビューモードの詳細については、以下に図１４と共に触れる。
【０１２３】
図１３のステップＳ４０１に示す疑似カラーライブビューモード時の動作では、図１４に示すように、撮影装置４は、まず、ＣＰＵ１１０の制御の下でズーム倍率をワイド端に設定する（ステップＳ４１１）。すなわち、レンズ１０１を含む光学系は、撮像部が画像データ（第１画像データ）を生成する際、ズーム倍率をワイド端に設定する。具体的には、例えばＣＰＵ１１０が、アクチュエータ駆動回路１０３よりアクチュエータ１０４を駆動してレンズ１０１をワイド端へ移動する。これにより、撮像素子１０２の受光面には、撮影装置４のスペックにおいて最も広角の光学像が結像される。
【０１２４】
次に撮影装置４は、ＣＰＵ１１０の特にフラッシュ制御機能１１２の制御の下でフラッシュ１０６を駆動する（ステップＳ４１２）。これにより、少なくとも撮影装置４の撮影範囲が照明されると共に、撮像素子１０２の受光面に色情報を再現するのに十分な光量の光学像が結像される。
【０１２５】
続いて撮影装置４は、ＣＰＵ１１０の制御の下で撮像回路１０５を駆動することで、撮像素子１０２から画像信号を読み出す（ステップＳ４１３：第１撮像ステップ）。この際、ステップＳ４１２の制御によってフラッシュ１０６が駆動されているため、撮像素子１０２には十分な光量の光学像が結像される。したがって、撮像素子１０２から読み出された画像信号は、背景を含む被写体の色を再現するのに十分な信号強度（色情報）を持つ。また、読み出された画像信号は、Ａ／Ｄ変換回路１３１に入力されてＡ／Ｄ変換処理された後、デジタルの画像データ（第１画像データ）として内部バス１３０に出力される。内部バス１３０は、所定のバスコントロールに従って、デジタルの画像データをＣＰＵ１２０に入力する。
【０１２６】
このように本実施の形態では、照明部および撮像部が、ＣＰＵ１１０（カメラ撮影モード管理部）がカメラ撮影モードをオンにした際、少なくとも１回、前記被写体を照明しつつ照明された被写体の光学像から画像データ（第１画像データ）を生成する。
【０１２７】
次に撮影装置４は、ＣＰＵ１２０に入力された画像データに対し、これに含まれる被写体（またはその領域）ごとの色情報（第１色情報）を抽出し、これを例えば不図示のキャッシュメモリ等に記憶しておく（ステップＳ４１４：色情報解析ステップ）。具体的には、ＣＰＵ１２０は、まず画像認識機能１２１を呼出し、この画像認識機能１２１に、画像データに含まれる色の成分および階調などから画像中の特徴点を抽出させ、この抽出結果に基づいて画像中の領域等を認識させる。続いてＣＰＵ１２０は、被写体識別機能１２４を呼出し、この被写体識別機能１２４に、画像認識機能１２１によって認識された領域の配置等から画像中に含まれる被写体の形状等を識別させる（被写体識別ステップ）。続いてＣＰＵ１２０は、色情報解析・再現機能１２３を呼出し、この色情報解析・再現機能１２３に、被写体識別機能１２４によって識別された被写体の各領域の色情報を特定させる。これにより得られた被写体の各領域の色情報は、上述したように不図示のキャッシュメモリ等に記憶される。なお、記憶される色情報には、被写体の形状の情報、例えば色の領域の情報も含まれている。
【０１２８】
次に撮影装置４は、ＣＰＵ１１０の制御の下でアクチュエータ駆動回路１０３よりアクチュエータ１０４を駆動することで、レンズ１０１を初期位置へ戻す（ステップＳ４１５）。
【０１２９】
次に撮影装置４は、ＣＰＵ１１０の制御の下で撮像回路１０５を駆動することで、撮像素子１０２から画像信号をスルー画（第２画像データ）として読み出す（ステップＳ４１６：第２撮像ステップ）。この際、フラッシュ１０６は駆動されていないため、撮像素子１０２の受光面に結像される光学像の光量は小さい。したがって、撮像素子１０２から読み出されたカラー補正前のスルー画の画像信号の信号強度（色情報）は、背景を含む被写体の色を再現するのには十分でない信号強度（色情報）となる。さらに、ステップＳ４１６で読み出された画像信号は、Ａ／Ｄ変換回路１３１に入力されたＡ／Ｄ変換処理された後、デジタルの画像データとして内部バス１３０に入力される。内部バス１３０は、所定のバスコントロールに従って、デジタルの画像データをＣＰＵ１２０に入力する。
【０１３０】
次に撮影装置４は、ＣＰＵ１２０に入力された画像データの画像解析を実行する（ステップＳ４１７）。なお、説明の都合上、本ステップＳ４１７で解析対象とする画像データをスルー画データといい、これによる画像をスルー画という。ステップＳ４１７では、具体的には、ＣＰＵ１２０は、まず画像認識機能１２１を呼出し、この画像認識機能１２１に、スルー画データに含まれる色の成分および階調などから画像中の特徴点を抽出させ、この抽出結果に基づいて画像中の領域等を認識させる。続いてＣＰＵ１２０は、被写体識別機能１２４を呼出し、この被写体識別機能１２４に、画像認識機能１２１によって認識された領域の配置等からスルー画中に含まれる被写体の形状等を識別させる。
【０１３１】
次に撮影装置４は、ステップＳ４１４で記憶しておいた被写体（またはその領域）ごとの色情報（第１色情報）を読み出し、読み出した色情報とステップＳ４１７の画像解析で特定した被写体（またはその領域）とを照合する（ステップＳ４１８）。具体的には、ＣＰＵ１２０は、色情報解析・再現機能１２３を呼出すと共に、ステップＳ４１４で記憶しておいた被写体（またはその領域）ごとの色情報を読み出し、色情報解析・再現機能１２３に、本ステップＳ４１７で被写体識別機能１２４が識別した被写体（またはその領域）ごとの色情報を特定させる。
【０１３２】
被写体（またはその領域）ごとの色情報の特定は、例えば、ステップＳ４１４の画像データと本ステップＳ４１７のスルー画データとの間で各領域の動きベクトルを算出し、この動きベクトルに基づいて画像データとスルー画との間で対応する領域を特定し、この対応する領域の色情報をステップＳ４１４で記憶した色情報から特定することで実現することができる。
【０１３３】
次に撮影装置４は、ステップＳ４１８で特定した被写体（またはその領域）ごとの色情報（第１色情報）に基づいて、ステップＳ４１６でスルー画として読み出した画像データに含まれる被写体（またはその領域）ごとの色情報（第２色情報）を補正する（ステップＳ４１９：色情報補正ステップ）。これにより、電子ファインダの一部であるＴＦＴ液晶パネル１４４に表示されるスルー画がカラー補正される（再生ステップ）。なお、ここで各被写体（またはその領域）の補正後の色情報は、画像データにおける各領域の平均色の情報や、ステップＳ４１４で特定した被写体（またはその領域）の色彩をそのままテクスチャとして用いた情報など、種々変形することが可能である。また、カラー補正後のスルー画データは、内部バス１３０を介してＦＩＦＯメモリ１３２に一旦バッファされる。その後、ＣＰＵ１１０の制御の下にＴＦＴ液晶駆動回路１４１が駆動されてＦＩＦＯメモリ１３２から１ラインごとにスルー画データが読み出され、このスルー画データに基づいてＴＦＴ液晶パネル１４４が駆動される。これにより、カラー補正後のスルー画がＴＦＴ液晶パネル１４４に表示される。
【０１３４】
その後、撮影装置４は、撮影装置４自身の姿勢（言い換えれば、撮像素子１０２の向き）であるカメラ姿勢情報を検出する（ステップＳ４２０：姿勢検出ステップ）。すなわち、本実施の形態による撮影装置４は、撮像部の向きの変化を検出する姿勢検出部を備える。このカメラ姿勢情報の検出は、例えばステップＳ４１６で取り込んだスルー画データから撮影装置４のカメラ姿勢を特定してその姿勢が大きく変わったかを判定する方法や、撮影装置４内部に姿勢検出用の加速度センサ等を別途搭載する方法など、種々の方法で実現することが可能である。
【０１３５】
次に撮影装置４は、カメラ姿勢情報があらかじめ定めておいたリミット（閾値）を超えたか否か、すなわち撮影装置４の撮影方向の向きや撮像素子１０２に結像された光学像の構図が大きく変わったか否かを判定し（ステップＳ４２１）、カメラ姿勢の変化がリミットを超えていた場合（ステップＳ４２１のＹｅｓ）、ステップＳ４１１へ帰還して、再度、フラッシュ１０６を駆動した際の画像データから被写体（またはその領域）ごとの色情報を取得する。
【０１３６】
すなわち、本実施の形態４では、照明部および撮像部は、姿勢検出部が撮像部の向きの変化を検出した場合、少なくとも１回、被写体を照明しつつ照明された被写体の光学像から画像データ（第１画像データ）を生成し、これの色情報（第１色情報）を取得する。
【０１３７】
ただし、本発明は、上記のカメラ姿勢が変化した場合に限らず、例えばズーム倍率または画角が手動または自動で変更された場合などを検出した際に、照明部および撮像部が、少なくとも１回、被写体を照明しつつ照明された被写体の光学像から画像データ（第１画像データ）を生成し、これの色情報（第１色情報）を取得するように構成してもよい。
【０１３８】
一方、ステップＳ４２１の判定の結果、リミットを超えたカメラ姿勢の変化が無ければ（ステップＳ４２１のＮｏ）、撮影装置４は、カラー補正後のスルー画をＴＦＴ液晶パネル１４４に表示する動作の終了指示が例えばキーマトリクス１５０から入力された否かを判定し（ステップＳ４２２）、このスルー画表示の終了指示が入力されていない場合（ステップＳ４２２のＮｏ）、ステップＳ４１６へ帰還して、新たなスルー画を取得し、これをカラー補正した後、カラー補正後のスルー画をＴＦＴ液晶パネル１４４に表示する。これにより、電子ファインダの一部であるＴＦＴ液晶パネル１４４にはカラー補正後のスルー画がライブビュー映像として表示される。一方、スルー画表示の終了指示が入力されていた場合（ステップＳ４２２のＹｅｓ）、撮影装置４は、図１３のカメラ撮影モード時の動作へリターンする。
【０１３９】
以上で説明したように、本実施の形態４では、背景を含む被写体の色を再現するのには十分でない信号強度のスルー画データ（第２画像データ）の色情報（第２色情報）が、背景を含む被写体の色を再現するのに十分な信号強度の画像データ（第１画像データ）の色情報（第１色情報）でカラー補正される。この結果、本実施の形態では、低照度環境下であっても電子ファインダを介してユーザにリアルな被写体の映像を表示することが可能となる。
【０１４０】
また、フラッシュ１０６を駆動したときの画像と同様の画像を電子ファインダに表示することが可能となるため、画像を取り込む際の画像と取り込まれた画像との色合いの差を低減することが可能である。この結果、暗所でもユーザに違和感の少ない操作性を提供することが可能となる。
【０１４１】
なお、ＣＰＵ１２０における被写体識別機能１２４は、画像データ（第１画像データ）およびスルー画データ（第２画像データ）に含まれる被写体を識別する被写体識別部として機能する。そこで、色情報抽出部は、被写体識別部によって識別された画像データ（第１画像データ）中の被写体ごとに色情報（第１色情報）を解析する。また、色情報補正部は、被写体識別部によって識別されたスルー画データ（第２画像データ）中の被写体ごとに色情報（第２色情報）を画像データ（第１画像データ）の色情報（第１色情報）で補正する。
【０１４２】
以上で説明したように、本実施の形態４では、背景を含む被写体の色を再現するのには十分でない信号強度のスルー画データ（第２画像データ）の色情報（第２色情報）が、背景を含む被写体の色を再現するのに十分な信号強度の画像データ（第１画像データ）の色情報（第１色情報）でカラー補正される。この結果、本実施の形態４では、上記した実施の形態１〜３の何れかと同様に、水中であっても電子ファインダを介してユーザにリアルな被写体の映像を表示することが可能となる。
【０１４３】
＜実施の形態５＞
また、上記実施の形態１〜４の何れかに示した疑似カラーライブビューモードは、撮影装置１のフラッシュモードがオンに設定されている場合に実行されるように構成してもよい。以下、この場合を本発明の実施の形態５として図面を用いて詳細に説明する。なお、フラッシュモードとは、撮影時、すなわちセカンドレリーズ１５２がシャッタボタンの全押しを検出した際にフラッシュ１０６を駆動して被写体を照明する動作を実行するモードである。また、以下において、上記実施の形態１またはその変形例と同様の構成および動作については、簡略化のため、その詳細な説明を省略する。
【０１４４】
本実施の形態５による撮影装置は、上記実施の形態１で例示した撮影装置１と同様の構成とすることができる。このため、本実施の形態５では、撮影装置１を引用して説明する。
【０１４５】
図１５は、本実施の形態５による撮影装置１のカメラ撮影モード時の概略動作を示すフローチャートである。図１５に示すように、ユーザがキーマトリクス１５０中の電源ボタンやレンズカバー等を操作すると、撮影装置１は、上記実施の形態１において図２のステップＳ１０１〜Ｓ１０３を用いて説明したカメラ撮影モード時の動作と同様の動作を実行することで、撮影装置１の現在位置が水中であるか否かを判定する。
【０１４６】
ステップＳ１０３の判定の結果、現在位置が水中でない場合（ステップＳ１０３のＮｏ）、撮影装置１は、通常ライブビューモードへ移行し、この動作を実行する（ステップＳ１０４）。一方、ステップＳ１０３の判定の結果、現在位置が水中である場合（ステップＳ１０３のＹｅｓ）、撮影装置１は、フラッシュモードがオンに設定されているか否かを判定する（ステップＳ５０１）。この判定は、例えばＣＰＵ１１０のフラッシュ制御機能１１２がＥＥＰＲＯＭ１０７等に格納されている撮影装置１の設定データを参照することで実行することが可能である。
【０１４７】
ステップＳ５０１の判定の結果、フラッシュモードがオンに設定されている場合（ステップＳ５０１のＹｅｓ）、撮影装置１は、疑似カラーライブビューモードへ移行し、この動作を実行する（ステップＳ１０５）。一方、フラッシュモードがオンに設定されていない場合（ステップＳ５０１のＮｏ）、撮影装置１は、通常ライブビューモードへ移行し、この動作を実行する（ステップＳ１０４）。なお、疑似カラーライブビューモード時の動作および通常ライブビューモード時の動作については、上記実施の形態１またはその変形例と同様であるため、ここでは詳細な説明を省略する。また、疑似カラーライブビューモードへ移行後または通常ライブビューモードへ移行後、撮影装置１は、主動作へリターンする。
【０１４８】
なお、フラッシュモードには、例えば、撮像素子１０２における撮像感度が通常の最低感度として設定された閾値を下回ったか否かに基づいて自動的に移行したり、ユーザの操作によって手動で移行したりする。このフラッシュモードのオン／オフは、例えばＣＰＵ１１０のフラッシュ制御機能１１２において管理される（フラッシュモード管理ステップ）。言い換えれば、ＣＰＵ１１０のフラッシュ制御機能１１２は、フラッシュモードのオン／オフを管理するフラッシュモード管理部として機能する。
【０１４９】
以上のように、本実施の形態５では、照明部および撮像部は、ＣＰＵ１１０（フラッシュモード管理部）がフラッシュモードをオンにしている場合、画像データ（第１画像データ）を生成して色情報（第１色情報）を取得する。これにより、フラッシュ１０６の駆動が必要でない、もしくは、フラッシュ１０６駆動したくないときに、自動的にフラッシュ１０６が駆動されることを回避することが可能となる。
【０１５０】
なお、その他の構成および動作ならびに効果は、上記した実施の形態１〜４の何れかと同様である。
【０１５１】
また、上記実施の形態は本発明を実施するための例にすぎず、本発明はこれらに限定されるものではなく、仕様等に応じて種々変形することは本発明の範囲内であり、更に本発明の範囲内において、他の様々な実施の形態が可能であることは上記記載から自明である。
【０１５２】
また、上記実施の形態は本発明を実施するための例にすぎず、本発明はこれらに限定されるものではなく、仕様等に応じて種々変形することは本発明の範囲内であり、更に本発明の範囲内において、他の様々な実施の形態が可能であることは上記記載から自明である。
【図面の簡単な説明】
【０１５３】
【図１】図１は、本発明の実施の形態１による撮影装置の概略内部構成例を示すブロック図である。
【図２】図２は、本発明の実施の形態１による撮影装置のカメラ撮影モード時の概略動作を示すフローチャートである。
【図３】図３は、本発明の実施の形態１による疑似カラーライブビューモード時の概略動作を示すフローチャートである。
【図４】図４は、水中での波長λと単位長さあたりの光減衰率との関係を示す光減衰率曲線およびこの関係から求めた波長ごとの補正係数を示す補正係数曲線を説明するためのグラフである。
【図５】図５は、本発明の実施の形態１によるカラー補正前のスルー画とカラー補正後のスルー画とを示す図である。
【図６】図６は、本発明の実施の形態１におけるフラッシュを駆動した際の撮影により得られる画像を示す図である。
【図７】図７は、本発明の実施の形態２において実行される時分割撮影でのライブビュー表示の概略動作を説明するための図である。
【図８】図８は、本発明の実施の形態２による撮影装置の疑似カラーライブビューモード時の概略動作を示すフローチャートである。
【図９】図９は、本発明の実施の形態２における時分割撮影でのライブビュー表示の概略動作を示すフローチャートである。
【図１０】図１０は、本発明の実施の形態３において実行される時分割撮影でのライブビュー表示の概略動作を説明するための図である。
【図１１】図１１は、本発明の実施の形態３による撮影装置の疑似カラーライブビューモード時の概略動作を示すフローチャートである。
【図１２】図１２は、本発明の実施の形態４による撮影装置の概略内部構成例を示すブロック図である。
【図１３】図１３は、本発明の実施の形態４による撮影装置のカメラ撮影モード時の概略動作を示すフローチャートである。
【図１４】図１４は、本発明の実施の形態４による疑似カラーライブビューモード時の概略動作を示すフローチャートである。
【図１５】図１５は、本発明の実施の形態５による撮影装置のカメラ撮影モード時の概略動作を示すフローチャートである。
【符号の説明】
【０１５４】
１、４  撮影装置
１０１  レンズ
１０２  撮像素子
１０３  アクチュエータ駆動回路
１０４  アクチュエータ
１０５  撮像回路
１０６  フラッシュ
１０７  ＥＥＰＲＯＭ
１０８  手ブレ補正用ジャイロセンサ
１１０、１２０  ＣＰＵ
１１０Ａ  システムコントロール部
１１１  カメラ撮像画角判定機能
１１２  フラッシュ制御機能
１１３  時計機能
１１４  撮影露光時間制御機能
１１５  色変換機能
１２１  画像認識機能
１２２  画像圧縮伸長機能
１２３  色情報解析・再現機能
１２４  被写体識別機能
１２５  記録媒体アクセス機能
１２７  時分割撮影データ合成機能
１２８  色情報解析・変換機能
１３０  内部バス
１３１  Ａ／Ｄ変換回路
１３２  ＦＩＦＯメモリ
１３３  フレームメモリ
１３４  記録バッファ
１３５  記録媒体インタフェース
１３６  記録媒体
１４１  ＴＦＴ液晶駆動回路
１４２  ビデオ出力回路
１４３  バックライトユニット
１４４  ＴＦＴ液晶パネル
１４５  ビデオ出力端子
１５０  キーマトリクス
１５１  ファーストレリーズ
１５２  セカンドレリーズ
１５３  ズームボタン
１６１  ＬＣＤ表示回路
１６２  ＬＣＤパネル
１７１  電池
１７２  バックアップ電源
１７３  電源回路
１７４  電池状態検出回路
１８１  水深センサ
２０１  外部画像表示装置
ＢＫ１、ＢＫ２  背景
ＩＭ０  フラッシュ駆動時の画像
ＩＭ１  カラー補正前のスルー画
ＩＭ２  カラー補正後のスルー画
ＩＭ１１、ＩＭ１２、ＩＭ１３、ＩＭ１４、ＩＭ１５、ＩＭ２１、ＩＭ２２、ＩＭ２３、ＩＭ２４  スルー画データ
ｉｍ０１ｂ、ｉｍ０２ｇ、ｉｍ０３ｒ、ｉｍ０４ｂ、ｉｍ０５ｇ、ｉｍ２１ｇｂ、ｉｍ２２ｒ、ｉｍ２３ｇｂ  画像データ
ｉｍ１１ｂ、ｉｍ１４ｂ、ｉｍ３１ｂ、ｉｍ３３ｂ  Ｂ成分データ
ｉｍ１２ｇ、ｉｍ１５ｇ、ｉｍ３１ｇ、ｉｍ３３ｇ  Ｇ成分データ
ｉｍ１３ｒ、ｉｍ３２ｒ  Ｒ成分データ
Ｌ１  光減衰率曲線
Ｌ２  補正係数曲線
ＯＢ１、ＯＢ２  被写体
ｔ１〜ｔ５、ｔ１１〜ｔ１３  タイミング
【図１】
2010226497.tif 000003
【図２】
2010226497.tif 000004
【図３】
2010226497.tif 000005
【図４】
2010226497.tif 000006
【図５】
2010226497.tif 000007
【図６】
2010226497.tif 000008
【図７】
2010226497.tif 000009
【図８】
2010226497.tif 000010
【図９】
2010226497.tif 000011
【図１０】
2010226497.tif 000012
【図１１】
2010226497.tif 000013
【図１２】
2010226497.tif 000014
【図１３】
2010226497.tif 000015
【図１４】
2010226497.tif 000016
【図１５】
2010226497.tif 000017